(57)【要約】【課題】持ち運びを安定した状態で行なえ、また、安定した状態で梱包できるテレビジョン受像機を提供すること。【解決手段】テレビジョン受像機１２は、フレーム構造体１６と外装板１８とを備える。外装板１８は、天板２０と左右の側板２２と背面板２４からなる。フレーム構造体１６は、テレビジョン本体１４の下部左右に位置してそれぞれ前後に直線状に延在する下部左フレーム部材３２、下部右フレーム部材３４と、テレビジョン本体１４の上部左右に位置してそれぞれ前後に直線状に延在する上部左フレーム部材３６、上部右フレーム部材３８とを含んで構成されている。下部左フレーム部材３２と下部右フレーム部材３４には斜め下方外側に突出する下フランジ６６が設けられている。上部左フレーム部材３６と上部右フレーム部材３８には斜め上方外側に突出する上フランジ７６が設けられている。【選択図】        図２
2004328417.tif 000002
【特許請求の範囲】
【請求項１】
画面表示部、前記画面表示部に映像などを映すための制御回路部などを備えたＣＲＴ方式のテレビジョン本体と、前記テレビジョン本体を支持するフレーム構造体と、前記フレーム構造体に取着される外装板とを備えたテレビジョン受像機であって、
前記フレーム構造体は、テレビジョン本体の下部左右に位置してそれぞれ前後に直線状に延在する下部左フレーム部材、下部右フレーム部材と、前記テレビジョン本体の上部左右に位置してそれぞれ前後に直線状に延在する上部左フレーム部材、上部右フレーム部材との少なくとも４本の金属製のフレーム部材を含んで構成され、
前記外装板は、前記上部左フレーム部材と上部右フレーム部材とにわたり装着される天板と、下部左フレーム部材と上部左フレーム部材とにわたりおよび下部右フレーム部材と上部右フレーム部材とにわたりそれぞれ装着される左右の側板と、前記フレーム構造体の後部に装着される背面板とを有し、
前記下部左フレーム部材および下部右フレーム部材は、前記左右の側板から斜め下方外側に突出しつつ前後に延在する下フランジを有し、
前記上部左フレーム部材および上部右フレーム部材は、前記左右の側板から斜め上方外側に突出しつつ前後に延在する上フランジを有している、
ことを特徴とするテレビジョン受像機。
【請求項２】
平面視した場合に、下部左フレーム部材および下部右フレーム部材の下フランジと、前記上部左フレーム部材および上部右フレーム部材の上フランジの各フレーム部材からの突出量はほぼ同一の値に設定されていることを特徴とする請求項１記載のテレビジョン受像機。
【請求項３】
側面視した場合に、上部左フレーム部材と下部左フレーム部材との間隔、および上部右フレーム部材と下部右フレーム部材との間の間隔が、後方に至るにつれて狭くなるように、かつ、平面視した場合に、下部左フレーム部材と下部右フレーム部材との間の間隔、および、上部左フレーム部材と上部右フレーム部材との間の間隔が、後方に至るにつれて狭くなるように、４本のフレーム部材は傾斜して配設されていることを特徴とする請求項１記載のテレビジョン受像機。
【請求項４】
前記下部左フレーム部材と下部右フレーム部材には、下方で斜め内側に延在する脚片が設けられ、テレビジョン受像機を平坦な載置面に載置した際に、前記脚片が前記載置面に載置されて該載置面上でテレビジョン受像機を支持し、この状態で前記下フランジの下端は前記載置面よりも上方に位置していることを特徴とする請求項１記載のテレビジョン受像機。
【請求項５】
前記上部左フレーム部材と上部右フレーム部材の互いに向かい合う箇所には、天板の左右縁部が挿入されこれら左右縁部を支持する挿入溝が形成されていることを特徴とする請求項１記載のテレビジョン受像機。
【請求項６】
前記上部左フレーム部材と下部左フレーム部材の互いに向かい合う箇所、および上部右フレーム部材と下部右フレーム部材の互いに向かい合う箇所には、前記左右の側板の上下縁部が挿入されこれら上下縁部を支持する挿入溝が形成されていることを特徴とする請求項１記載のテレビジョン受像機。
【請求項７】
前記下フランジおよび上フランジはそれぞれのフレーム部材の前後方向の全長にわたり連続して延在していることを特徴とする請求項１記載のテレビジョン受像機。
【請求項８】
前記４本のフレーム部材は、押し出し成形されていることを特徴とする請求項１記載のテレビジョン受像機。
【発明の詳細な説明】
【０００１】
【発明の属する技術分野】
本発明はＣＲＴ方式のテレビジョン受像機に関する。
【０００２】
【従来の技術】
ＣＲＴ方式のテレビジョン受像機は、一般に、画面表示部、前記画面表示部に映像などを映すための制御回路部などを含むテレビジョン本体と、テレビジョン本体を支持するフレーム構造体と、フレーム構造体に取着される外装体とを備え、外装体は、天板、左右の側板、背面板を含んでいる。
従来、このようなテレビジョン受像機として、外装体として合成樹脂を用い、金型を用いて天板、左右の側板、背面板を一体に成形し、この外装体をフレーム構造体に組み付けるものや、天板、左右の側板、背面板を別々に製作し、これらの外装体をフレーム構造体に組み付けるものが提供されている（例えば、特許文献１参照）。
【０００３】
【特許文献１】
特開平１０−４２２２８号公報
【０００４】
外装体のデザインの観点から検討すると、金型を用いて外装体を一体成形するものでは、離型が簡単に行なわれるようにその形状に種々の制約を受け、デザインの自由性に劣る不具合があるのに対して、天板、左右の側板、背面板を別々に製作し、これらの外装体をフレーム構造体に組み付けるものでは、外装体のデザインの自由度に優れている。
【０００５】
【発明が解決しようとする課題】
しかしながら、何れの構造においても、持ち運び用の掴む箇所がなく、あるいは、あっても貧弱であり、持ち運びに不具合が生じていた。また、テレビジョン受像機は外装板で覆われていることから、梱包時に安定した状態で梱包できない不具合が生じていた。これらの不具合は、画面の大型化に伴いテレビジョン受像機が重量増となっていることから一層助長され、何らかの改善が望まれていた。
本発明は前記事情に鑑み案出されたものであって、本発明の目的は、安定した状態で持ち運ぶことができ、また、安定した状態で梱包を行なえ、さらには、外装体のデザインの自由度に優れるテレビジョン受像機を提供することにある。
【０００６】
【課題を解決するための手段】
前記目的を達成するため本発明は、画面表示部、前記画面表示部に映像などを映すための制御回路部などを備えたＣＲＴ方式のテレビジョン本体と、前記テレビジョン本体を支持するフレーム構造体と、前記フレーム構造体に取着される外装板とを備えたテレビジョン受像機であって、前記フレーム構造体は、テレビジョン本体の下部左右に位置してそれぞれ前後に直線状に延在する下部左フレーム部材、下部右フレーム部材と、前記テレビジョン本体の上部左右に位置してそれぞれ前後に直線状に延在する上部左フレーム部材、上部右フレーム部材との少なくとも４本の金属製のフレーム部材を含んで構成され、前記外装板は、前記上部左フレーム部材と上部右フレーム部材とにわたり装着される天板と、下部左フレーム部材と上部左フレーム部材とにわたりおよび下部右フレーム部材と上部右フレーム部材とにわたりそれぞれ装着される左右の側板と、前記フレーム構造体の後部に装着される背面板とを有し、前記下部左フレーム部材および下部右フレーム部材は、前記左右の側板から斜め下方外側に突出しつつ前後に延在する下フランジを有し、前記上部左フレーム部材および上部右フレーム部材は、前記左右の側板から斜め上方外側に突出しつつ前後に延在する上フランジを有していることを特徴とする。
本発明によれば、フレーム構造体は、テレビジョン本体の下部左右と上部左右に位置してそれぞれ前後に直線状に延在する４本の金属製のフレーム部材を含んで構成されているので、強固な構造体となっている。そして、この強固なフレーム構造体をなす下部左フレーム部材と下部右フレーム部材に下フランジが設けられているので、この下フランジを掴むことで、テレビジョン受像機の持ち運びを安定した状態で行なえるようになる。
また、この強固なフレーム構造体をなす上部左フレーム部材と上部右フレーム部材にもそれぞれ上フランジが設けられているので、梱包時に左右の下フランジと上フランジを利用することで強固に安定した状態で梱包できる。
また、合成樹脂製の外装板は、天板、左右の側板、背面板の４枚で形成されているので、離型の際の条件を大幅に減少でき、デザインする上で有利となる。
【０００７】
【発明の実施の形態】
以下、本発明の実施の形態を図面を参照して説明する。
図１はフレーム構造体にテレビジョン本体を組み付けた状態の側面図、図２はテレビジョン受像機の前後方向中間部の断面図、図３は外装板が組み込まれたフレーム構造体を前方から見た図、図４は外装板が組み込まれたフレーム構造体を後方から見た図、図５はフレーム構造体を後方から見た図、図６は下部左フレーム部材の斜視図、図７は下部右フレーム部材の斜視図、図８は上部左フレーム部材の斜視図、図９は上部右フレーム部材の斜視図を示す。
テレビジョン受像機１２は、画面表示部、前記画面表示部に映像などを映すための制御回路部などを含むＣＲＴ方式のテレビジョン本体１４と、テレビジョン本体１４を支持するフレーム構造体１６と、フレーム構造体１６に取着される外装板１８とを備える。
外装板１８は、フレーム構造体１６の上部に装着される天板２０と、フレーム構造体１６の左右の側部にそれぞれ装着される左右の側板２２と、フレーム構造体１６の後部に装着される背面板２４との４枚からなる。
【０００８】
フレーム構造体１６は、テレビジョン本体１４の下部左右に位置してそれぞれ前後に直線状に延在する下部左フレーム部材３２、下部右フレーム部材３４と、テレビジョン本体１４の上部左右に位置してそれぞれ前後に直線状に延在する上部左フレーム部材３６、上部右フレーム部材３８との少なくとも４本のフレーム部材を含んで構成されている。
これら４本のフレーム部材３２、３４、３６、３８は金属製であり、押し出し成形により形成され、本実施の形態では、軽量化の点で有利なアルミ合金製となっている。
平面視した場合に、図３乃至図５に示すように、下部左フレーム部材３２と下部右フレーム部材３４との間の間隔、および上部左フレーム部材３６と上部右フレーム部材３８との間の間隔が、後方に至るにつれて狭くなるように４本のフレーム部材３２、３４、３６、３８は傾斜して配設されている。
また、側面視した場合、図１に示すように、下部左フレーム部材３２と上部左フレーム部材３６との間隔、および下部右フレーム部材３４と上部右フレーム部材３８との間の間隔が、後方に至るにつれて狭くなるように４本のフレーム部材３２、３４、３６、３８は傾斜して配設されている。
【０００９】
図３乃至図５に示すように、下部左フレーム部材３２の後端と下部右フレーム部材３４の後端間に、直線状に延在する後部下フレーム部材４２が設けられ、後部下フレーム部材４２は左右方向に延在してその両端がブラケット４３を介して下部左フレーム部材３２の後端と下部右フレーム部材３４の後端に連結されている。
また、上部左フレーム部材３６の後端と上部右フレーム部材３８の後端間に、直線状に延在する後部上フレーム部材４４が設けられ、後部上フレーム部材４４は左右方向に延在してその両端がブラケット４５を介して上部左フレーム部材３６の後端と上部右フレーム部材３８の後端に連結されている。
また、下部左フレーム部材３２の後端と上部左フレーム部材３６の後端間に、および下部右フレーム部材３４の後端と上部右フレーム部材３８の後端間に、それぞれ直線状に延在する後部フレーム部材４６が設けられ、後部フレーム部材４６は上下方向に延在してその両端がブラケット４３、４５を介して下部左フレーム部材３２の後端と上部左フレーム部材３６の後端間および下部右フレーム部材３４の後端と上部右フレーム部材３８の後端間にそれぞれ連結されている。
【００１０】
また、上部左フレーム部材３６の前端と上部右フレーム部材３８の前端間に、直線状に延在する前部上フレーム部材５４が設けられ、前部上フレーム部材５４は左右方向に延在してその両端がブラケット５５を介して上部左フレーム部材３６の前端と上部右フレーム部材３８の前端に連結されている。
また、下部左フレーム部材３２の前端と上部左フレーム部材３６の前端間に、および下部右フレーム部材３４の前端と上部右フレーム部材３８の前端間に、それぞれ直線状に延在する前部フレーム部材５６が設けられ、前部フレーム部材５６は上下方向に延在してその両端がブラケット５５、５７を介して下部左フレーム部材３２の前端と上部左フレーム部材３６の前端間、および下部右フレーム部材３４の前端と上部右フレーム部材３８の前端間にそれぞれ連結されている。
上述の後部下フレーム部材４２、後部上フレーム部材４４、後部フレーム部材４６、前部上フレーム部材５４、前部フレーム部材５６、ブラケット４３，４５，５５，５７は全て軽量化の点で有利なアルミ合金製となっている。
なお、下部左フレーム部材３２の前端と下部右フレーム部材３４の前端間にはフレーム部材は設けられておらず、したがって、下部左フレーム部材３２の前端と下部右フレーム部材３４の前端間は開放されている。
【００１１】
下部左フレーム部材３２および下部右フレーム部材３４は、図６、図７に示すように、断面が均一形状で直線状に延在し、本実施の形態では、下部左フレーム部材３２および下部右フレーム部材３４の断面形状は左右対称となっている。
下部左フレーム部材３２および下部右フレーム部材３４には、それぞれ挿入溝６０、載置板６２、脚片６４、下フランジ６６が設けられている。
挿入溝６０は、左右の側板２２の下縁が挿入され該下縁を支持するもので、下部左フレーム部材３２および下部右フレーム部材３４の上部に設けられている。
挿入溝６０は、左右の側板２２の内面に当接する内板６００２と、左右の側板２２の外面に当接する外板６００４と、内板６００２の下端と外板６００４の下端を連結する壁部６００６とで上方に開放状に形成されている。
載置板６２は、テレビジョン本体１４の下部の左右縁部が載置されるもので、載置板６２は内板６００２の下端から内側に突設され、図１、図２に示すように、平坦な載置面Ｐにテレビジョン受像機１２が載置された状態で載置面Ｐと平行になるように設けられている。
【００１２】
脚片６４は、挿入溝６０の下部近傍箇所から、下方で斜め内側に延在して設けられている。
脚片６４は、テレビジョン受像機１２を平坦な載置面Ｐに載置した際に、脚片６４の下端が載置面Ｐに載置されて該載置面Ｐ上でテレビジョン受像機１２を支持するものである。
下フランジ６６は、挿入溝６０の下部近傍箇所から、下方で斜め外側に突出して設けられている。
脚片６４の下端が載置面Ｐに載置されて該載置面Ｐ上でテレビジョン受像機１２を支持された状態で、下フランジ６６の下端は載置面Ｐの上方に位置し、テレビジョン受像機１２が載置された状態でも下フランジ６６が簡単に掴めるように構成されている。
【００１３】
上部左フレーム部材３６および上部右フレーム部材３８は、図８、図９に示すように、断面が均一形状で直線状に延在し、本実施の形態では、上部左フレーム部材３６および上部右フレーム部材３８の断面形状は左右対称となっている。
上部左フレーム部材３６および上部右フレーム部材３８には、それぞれ２つの挿入溝７０、７２と上フランジ７６が設けられている。
２つの挿入溝７０，７２のうちの一方の挿入溝７０は、左右の側板２２の上縁が挿入され該上縁を支持するもので、上部左フレーム部材３６および上部右フレーム部材３８の下部に設けられている。
挿入溝７０は、左右の側板２２の内面に当接する内板７００２と、左右の側板２２の外面に当接する外板７００４とで構成され、内板７００２の下端と外板７００４の上端を連結する壁部７００６とで下方に開放状に形成されている。
２つの挿入溝７０，７２のうちの他方の挿入溝７２は、天板２０の左右縁部が挿入され該縁部を支持するもので、一方の挿入溝７０の上部箇所に設けられている。
挿入溝７２は、天板２０の左右縁部の下面に当接する下板７２０２と、天板２０の左右縁部の上面に当接する上板７２０４と、これら下板７２０２と上板７２０４の側部を連結する前記壁部７００６とでフレーム構造体１６の内側に開放状に形成されている。
上フランジ７６は、挿入溝７０、７２の上部箇所から、上方で斜め外側に突出して設けられている。
【００１４】
なお、挿入溝６０、載置板６２、脚片６４、下フランジ６６は、下部左フレーム部材３２および下部右フレーム部材３４の全長にわたって連続して延在し、挿入溝７０、７２、上フランジ７６は、上部左フレーム部材３６および上部右フレーム部材３８の全長にわたって連続して延在している。
また、図２に示すように、下部左フレーム部材３２の挿入溝６０と、上部左フレーム部材３６の挿入溝７０は、側板２２の上下縁部が挿入され支持されるように、下部左フレーム部材３２と上部左フレーム部材３６の互いに向かい合う箇所に形成され、挿入溝６０の内板６００２の内面と挿入溝７０の内板７００２の内面は同一面上に位置し、挿入溝６０の外板６００４の内面と挿入溝７０の外板７００４の内面は同一面上に位置している。
【００１５】
また、上部左フレーム部材３６の挿入溝７２と、上部右フレーム部材３８の挿入溝７２は、天板２０の左右縁部が挿入され支持されるように、上部左フレーム部材３６と上部右フレーム部材３８の互いに向かい合う箇所に形成され、上部左フレーム部材３６の挿入溝７２の下板７２０２の上面と、上部右フレーム部材３８の挿入溝７２の下板７２０２の上面とは同一面上に位置し、上部左フレーム部材３６の挿入溝７２の上板７２０４の下面と、上部右フレーム部材３８の挿入溝７２の上板７２０４の下面とは同一面上に位置している。
また、下部左フレーム部材３２の載置板６２と、上部左フレーム部材３６の載置板６２は、少なくともそれらの上面が同一面上に位置するように設けられている。
また、図２に示すように、下部左フレーム部材３２および下部右フレーム部材３４の下フランジ６６の側板２２からの突出量Ｔ１と、上部左フレーム部材３６および上部右フレーム部材３８の上フランジ６６の側板２２からの突出量Ｔ２は、同一の寸法に設定されている。
【００１６】
天板２０は、合成樹脂製で金型を用いて一体成形されており、図１０（Ａ）に平面図で、（Ｂ）に側面図で示すように、平面視形状が、前部の左右幅が後部の左右幅よりも大きい寸法の台形状に形成され、厚みは均一の寸法で形成されている。
左右の側板２２は、合成樹脂製で金型を用いて一体成形されており、図１１（Ａ）に正面図で、（Ｂ）に（Ａ）のＢ矢視図で、（Ｃ）に（Ａ）のＣ矢視図で示すように、側面視形状が、前部の上下高さが後部の上下高さよりも大きい寸法の台形状に形成され、図１１では省略されているが、図３に示されるように側板２２には多数の通気孔が形成されている。
背面板２４は、合成樹脂製で金型を用いて一体成形されており、（Ａ）に正面図で、（Ｂ）に側面図で示すように、正面視した場合に左右の横長形状を呈し、側面視した場合に中央部が後方に窪む形状に形成され、図１２では省略されているが、図３に示されるように背面板２４には多数の通気孔が形成されている。
【００１７】
次に、テレビジョン受像機１２の組み立てについて説明する。
まず、図１乃至図３に示すように、下部左フレーム部材３２、下部右フレーム部材３４、上部左フレーム部材３６、上部右フレーム部材３８から、後部下フレーム部材４２、後部上フレーム部材４４、後部フレーム部材４６、前部上フレーム部材５４、前部フレーム部材５６、ブラケット４３，４５，５５，５７を介してフレーム構造体１６を組み立てる。なお、これらの組み立ては、ねじで固定することなどで行なわれ、図６乃至図９において、下部左フレーム部材３２、下部右フレーム部材３４、上部左フレーム部材３６、上部右フレーム部材３８に設けられたねじ孔やねじ挿通孔などは省略されている。
次に、図１、図２に示すように、テレビジョン本体１４をフレーム構造体１６に組み込む。この組み込みは、例えば、図２に示すように、下部左フレーム部材３２および下部右フレーム部材３４の内板６００２や載置板６２、上部左フレーム部材３６および上部右フレーム部材３８の内板７００２に対応するテレビジョン本体１４の箇所をねじで固定することなどで行なわれる。
【００１８】
次に、図２に示すように、フレーム構造体１６の前方から、左側の側板２２を、下部左フレーム部材３２と上部左フレーム部材３６の挿入溝６０、７０に挿入し、また、右側の側板２２を、下部右フレーム部材３４と上部右フレーム部材３８の挿入溝６０、７０に挿入し、これら左右の側板２２を挿入溝６０、７０の内板６００２、７００２などにねじで固定する。
次に、天板２０を、上部左フレーム部材３６と上部右フレーム部材３８の挿入溝７２に挿入し、天板２０を挿入溝７２の下板７２０２などにねじで固定する。
次に、図１に示すように、テレビジョン本体１４の画面表示部１４０２の周囲を覆う矩形枠状の前面板１４０４をフレーム構造体１６の前部に取着し、背面板２４をフレーム構造体１６の後部に取着し、これによりテレビジョン受像機１２が得られる。
【００１９】
次に、効果について説明する。
テレビジョン受像機１２のフレーム構造体１６は、テレビジョン本体１４の下部左右と上部左右に位置してそれぞれ前後に直線状に延在する４本の金属製のフレーム部材３２，３４，３６，３８を含んで構成されているので、フレーム構造体１６は強固な構造体となっている。
そして、この強固なフレーム構造体１６をなす下部左フレーム部材３２と下部右フレーム部材３４に、それぞれ一体に下フランジ６６が設けられており、しかもこれら下フランジ６６は左右の側板２２から突出しつつフレーム構造体１６の前部から後部にわたり連続して延在しているので、これら下フランジ６６を前後どこでも容易に掴むことができ、したがって、下フランジ６６を掴むことで、強固なフレーム構造体１６を介しテレビジョン受像機１２の持ち運びを安定した状態で行なえるようになる。特に、大型化に伴い重量増となったテレビジョン受像機１２を持ち運ぶ際に極めて有利となる。
また、この強固なフレーム構造体１６をなす上部左フレーム部材３６と上部右フレーム部材３８にも、それぞれ一体に上フランジ７６が設けられており、これら上フランジ７６も左右の側板２２から突出しつつフレーム構造体１６の前部から後部にわたり連続して延在しているので、梱包時に左右の下フランジ６６と上フランジ７６を利用することで強固に安定した状態で梱包でき、特に、大型化に伴い重量増となったテレビジョン受像機１２を梱包する際に極めて有利となる。
【００２０】
また、テレビジョン本体１４の下部左右と上部左右に位置してそれぞれ下フランジ６６と上フランジ７６が側方に突出しつつ前部から後部にわたり連続状に延在しているので、一目見ただけてフレーム構造体１６が強固であることが認識され、これによりテレビジョン受像機１２にデザイン的に安定感を与え、また、購買者に対して強い印象を与え、購買意欲を増大させる上でも極めて有利となる。
特に、本実施の形態では、下部左フレーム部材３２および下部右フレーム部材３４の下フランジ６６の側板２２からの突出量Ｔ１と、上部左フレーム部材３６および上部右フレーム部材３８の上フランジ６６の側板２２からの突出量Ｔ２とを、同一の寸法に設定したので、テレビジョン受像機１２にデザイン的に安定感を与える上で一層有利となっている。
また、外装板１８を、フレーム構造体１６の構造に合わせて、天板２０、左右の側板２２、２２、背面板２４との４枚でそれぞれ別々に形成するようにしたので、離型の際の条件が大幅に減少して外装体１８のデザインの自由度を高めることができ、テレビジョン受像機１２をデザインする上で有利となる。
また、下部左フレーム部材３２、下部右フレーム部材３４、上部左フレーム部材３６、上部右フレーム部材３８の４本のフレーム部材は直線状に延在し、押し出し成形で形成できるので、これらフレーム部材３２，３４，３６，３８の長さを変えることでテレビジョン受像機１２のサイズ変更に対応できる。したがって、押し出し成形に用いる金型を新たに作り直すことなくテレビジョン受像機１２のサイズ変更に対応でき、コストダウンを図る上でも有利となる。
【００２１】
なお、前記の実施の形態では、図１３（Ａ）に示すように、下フランジ６６および上フランジ７６を、フレーム部材の長手方向の全長にわたり連続して延在形成した。この場合、図１３（Ｂ）に示すように、下フランジ６６および上フランジ７６を、フレーム部材の長手方向に間隔をおき掴める程度の前後長さで延在する複数のフランジ体６６Ａ（７６Ａ）で形成するようにしてもよいが、前記の実施の形態のように連続形成した場合の方がコスト的に有利となる。
【００２２】
【発明の効果】
以上説明したように本発明によれば、フレーム構造体は、テレビジョン本体の下部左右と上部左右に位置する４本の金属製のフレーム部材を含んで構成されているので、強固な構造体となっている。そして、この強固なフレーム構造体をなす下部左フレーム部材と下部右フレーム部材に左右の側板から突出する下フランジが設けられているので、この下フランジを掴むことで、テレビジョン受像機の持ち運びを安定した状態で行なえるようになる。
また、この強固なフレーム構造体をなす上部左フレーム部材と上部右フレーム部材にもそれぞれ左右の側板から突出する上フランジが設けられているので、梱包時に左右の下フランジと上フランジを利用することで強固に安定した状態で梱包できる。
また、合成樹脂製の外装板は、天板、左右の側板、背面板の４枚で形成されているので、デザイン上有利となる。
【図面の簡単な説明】
【図１】フレーム構造体にテレビジョン本体を組み付けた状態の側面図である。
【図２】テレビジョン受像機の前後方向中間部の断面図である。
【図３】外装板が組み込まれたフレーム構造体を前方から見た図である。
【図４】外装板が組み込まれたフレーム構造体を後方から見た図である。
【図５】フレーム構造体を後方から見た図である。
【図６】下部左フレーム部材の斜視図である。
【図７】下部右フレーム部材の斜視図である。
【図８】上部左フレーム部材の斜視図である。
【図９】上部右フレーム部材の斜視図である。
【図１０】（Ａ）は天板の平面図、（Ｂ）は同側面図である。
【図１１】（Ａ）は左右側板の正面図、（Ｂ）は（Ａ）のＢ矢視図、（Ｃ）は（Ａ）のＣ矢視図である。
【図１２】（Ａ）は背面板の正面図で、（Ｂ）は同側面図である。
【図１３】（Ａ）、（Ｂ）は下フランジおよび上フランジの説明図である。
【符号の説明】
１２……テレビジョン受像機、１４……テレビジョン本体、１６……フレーム構造体、２０……天板２０……側板、２４……背面板、３２……下部左フレーム部材、３４……下部右フレーム部材、３６……上部左フレーム部材、３８……上部右フレーム部材、６６……下フランジ、７６……上フランジ。
【図１】
2004328417.tif 000003
【図２】
2004328417.tif 000004
【図３】
2004328417.tif 000005
【図４】
2004328417.tif 000006
【図５】
2004328417.tif 000007
【図６】
2004328417.tif 000008
【図７】
2004328417.tif 000009
【図８】
2004328417.tif 000010
【図９】
2004328417.tif 000011
【図１０】
2004328417.tif 000012
【図１１】
2004328417.tif 000013
【図１２】
2004328417.tif 000014
【図１３】
2004328417.tif 000015